(57)【要約】【課題】内容液を溢れさせることを抑制しつつ内容液の液位を上方から容易に視認可能な容器を提供する。【解決手段】軸直方向に延び内容液を収容する収容部３４と、収容部の軸直方向上部に設けられた口部１０１とを備える。収容部は、底面部３８と、底面部の周縁から立設する胴部４０とを備える。胴部は、軸直方向に延び、収容部に収容された内容液の液位を視認可能な窓部２１を有する。窓部は、胴部の外周面に対して段差をもって配置された段差部５２を有する。段差部は、軸直方向に延びる鉛直面に対して一定角度で傾斜して上方に臨む傾斜部５４を有する。【選択図】図２
2018188171.tif 000002
【特許請求の範囲】
【請求項１】
軸直方向に延び内容液を収容する収容部と、該収容部の前記軸直方向上部に設けられた口部とを備え、
前記収容部は、底面部と、該底面部の周縁から立設する胴部とを備え、
前記胴部は、前記軸直方向に延び、前記収容部に収容された内容液の液位を視認可能な窓部を有し、
前記窓部は、前記胴部の外周面に対して段差をもって配置された段差部を有し、
前記段差部は、前記軸直方向に延びる鉛直面に対して一定角度で傾斜して上方に臨む傾斜部を有することを特徴とする容器。
【請求項２】
前記傾斜部は、前記軸直方向において当該傾斜部が配置された範囲の前記収容部内部の、前記軸直方向と直交する方向の断面積を前記一定角度に対応する一定の割合で変化させることを特徴とする請求項１記載の容器。
【請求項３】
前記段差部は、前記胴部の周方向に間隔をあけて前記外周面から外方にそれぞれ突出し、上方に向かうに従って前記間隔が漸次狭くなる一対の第１側面部と、前記第１側面部の先端同士をつなぐ第２側面部とを有し、
前記傾斜部は、前記第１側面部であることを特徴とする請求項１または２記載の容器。
【請求項４】
前記段差部は、前記胴部の周方向に間隔をあけて前記外周面から外方にそれぞれ突出する一対の第１側面部と、上方に向かうに従って前記外周面からの突出量が漸次少なくなり前記第１側面部の先端同士をつなぐ第２側面部とを有し、
前記傾斜部は、前記第２側面部であることを特徴とする請求項１または２記載の容器。
【請求項５】
前記第２側面部は、上方に向かうに従って、前記周方向の幅が広くなっていることを特徴とする請求項４記載の容器。
【請求項６】
前記段差部は、前記胴部の周方向に間隔をあけて前記外周面から内方にそれぞれ突出する一対の第３側面部と、前記第３側面部の先端同士をつなぐ第４側面部とを有し、
前記傾斜部は、前記第４側面部の一部であることを特徴とする請求項１または２記載の容器。
【請求項７】
前記収容部は、前記胴部と前記口部とをつなぐ肩部を有し、
前記段差部は、前記胴部と前記肩部とに跨って設けられていることを特徴とする請求項６記載の容器。
【請求項８】
前記段差部は、前記収容部への前記内容液の注入に関する指標となる位置に局所的に配置されていることを特徴とする請求項１から７のいずれか一項に記載の容器。
【請求項９】
前記指標となる位置は、前記収容部へ注入された前記内容液に関して想定される最高液位と、前記収容部に前記内容液を補充する液位との少なくとも一つを含むことを特徴とする請求項８記載の容器。
【請求項１０】
前記口部に装着される中栓を備え、
前記中栓は、軸直方向に延び注出側と逆側が開口する樋状の注出ノズルを有し、
前記段差部は、前記胴部の周方向において、前記注出側と逆側の位置に配置されていることを特徴とする請求項１から９のいずれか一項に記載の容器。
【発明の詳細な説明】
【技術分野】
【０００１】
本発明は、容器に関するものである。
【背景技術】
【０００２】
近年、ハンドソープやボディーソープ等の液体洗剤等の容器は、使用により残量が少なくなった際に、詰め替え容器（パウチ、超軽量容器）から内容液を補充して繰り返し使用されることが多くなっている。しかし、容器の外側から内容液の液位が確認できないと、内容液の補充のタイミングが分かりづらい。
【０００３】
収容した内容液の液位を確認しやすい容器としては、例えば、容器の本体側面に、該本体側面を縦断する透明又は半透明の透視窓部が設けられた容器が知られている（例えば、特許文献１）。該容器では、透視窓部から容器内の内容液の液位が視認できるため、内容液の残量を把握できる。
【０００４】
ところが、例えば、開口面積の小さい容器注出口を介して詰め替え容器の内容液を補充する際には、内容液の漏れを防ぐために容器注出口の位置を確認しながらの作業となるため、透視窓部における内容液の液位視認は横方向からではなく上方からであることが好ましい。
【０００５】
そこで、特許文献２には、容器の胴部に上下方向に延び、収容部に収容された内容液の液位を視認可能で、胴部の外周面から外方に突き出た窓部が設けられる構成が開示されている。特許文献２の容器では、窓部が胴部の外周面から外方に突き出ているため、窓部を正面視した場合だけでなく、容器を正面側又は背面側から見た場合でも液位を視認しやすくなっており、又、内容液の液位を上方からも視認しやすくなっている。
【先行技術文献】
【特許文献】
【０００６】
【特許文献１】実用新案登録第３１０１１８８号公報
【特許文献２】特開２０１６−０７４４４５号公報
【発明の概要】
【発明が解決しようとする課題】
【０００７】
しかしながら、特許文献２に記載された容器では、容器上方の容器開口部に向かって容器断面積が急激に減少する容器胴部形状の場合には、一定の割合で内容液を補充しても内容液の液位が急激に上昇する可能性がある。この場合、内容液の補充停止が間に合わず内容液が溢れる可能性がある。
【０００８】
本発明は、以上のような点を考慮してなされたもので、内容液を溢れさせることを抑制しつつ、内容液の液位を上方から容易に視認可能な容器を提供することを目的とする。
【課題を解決するための手段】
【０００９】
本発明の第１の態様に従えば、軸直方向に延び内容液を収容する収容部と、該収容部の前記軸直方向上部に設けられた口部とを備え、前記収容部は、底面部と、該底面部の周縁から立設する胴部とを備え、前記胴部は、前記軸直方向に延び、前記収容部に収容された内容液の液位を視認可能な窓部を有し、前記窓部は、前記胴部の外周面に対して段差をもって配置された段差部を有し、前記段差部は、前記軸直方向に延びる鉛直面に対して一定角度で傾斜して上方に臨む傾斜部を有する容器が提供される。
【００１０】
また、上記本発明の一態様に係る容器において、前記傾斜部は、前記軸直方向において当該傾斜部が配置された範囲の前記収容部内部の、前記軸直方向と直交する方向の断面積を前記一定角度に対応する一定の割合で変化させることを特徴とする。
【００１１】
また、上記本発明の一態様に係る容器において、前記段差部は、前記胴部の周方向に間隔をあけて前記外周面から外方にそれぞれ突出し、上方に向かうに従って前記間隔が漸次狭くなる一対の第１側面部と、前記第１側面部の先端（前記外周面とは交わらない方の端部）同士をつなぐ第２側面部とを有し、前記傾斜部は、前記第１側面部であることを特徴とする。
【００１２】
また、上記本発明の一態様に係る容器において、前記段差部は、前記胴部の周方向に間隔をあけて前記外周面から外方にそれぞれ突出する一対の第１側面部と、上方に向かうに従って前記外周面からの突出量が漸次少なくなり前記第１側面部の先端（前記外周面とは交わらない方の端部）同士をつなぐ第２側面部とを有し、前記傾斜部は、前記第２側面部であることを特徴とする。
【００１３】
また、上記本発明の一態様に係る容器において、前記第２側面部は、上方に向かうに従って、前記周方向の幅が広くなっていることを特徴とする。
【００１４】
また、上記本発明の一態様に係る容器において、前記段差部は、前記胴部の周方向に間隔をあけて前記外周面から内方にそれぞれ窪んだ一対の第３側面部と、前記第３側面部の先端（前記外周面とは交わらない方の端部）同士をつなぐ第４側面部とを有し、前記傾斜部は、前記第４側面部の一部であることを特徴とする。
【００１５】
また、上記本発明の一態様に係る容器において、前記収容部は、前記胴部と前記口部とをつなぐ肩部を有し、前記段差部は、前記胴部と前記肩部とに跨って設けられていることを特徴とする。
【００１６】
また、上記本発明の一態様に係る容器において、前記段差部は、前記収容部への前記内容液の注入に関する指標となる位置に局所的に配置されていることを特徴とする。
【００１７】
また、上記本発明の一態様に係る容器において、前記指標となる位置は、前記収容部へ注入された前記内容液に関して想定される最高液位と、前記収容部に前記内容液を補充する液位（その液位以下になった時には前記内容液を補充することが好ましいということを知らせる液位）との少なくとも一つの位置を含むことを特徴とする。
【００１８】
また、上記本発明の一態様に係る容器において、前記口部に装着される中栓を備え、前記中栓は、軸直方向に延び注出側と逆側が開口する樋状の注出ノズルを有し、前記段差部は、前記胴部の周方向において、前記注出側と逆側の位置に配置されていることを特徴とする。
【発明の効果】
【００１９】
本発明では、内容液を溢れさせることを抑制しつつ内容液の液位を上方から容易に視認可能な容器を提供することが可能になる。
【図面の簡単な説明】
【００２０】
【図１】第１実施形態に係る正立状態の容器１００の構成を示す、一部を断面した正面図である。
【図２】計量キャップ１０２を外した状態の容器本体１００Ａ及びノズルキャップ１０の外観斜視図である。
【図３】ノズルキャップ１０の構成を示す正面図である。
【図４】窓部２１側からの容器本体１００Ａの側面図である。
【図５】収容部３４へ詰め替え容器から内容液を補充する手順を示す図である。
【図６】第２実施形態に係る容器１００の外観斜視図である。
【図７】第３実施形態に係る容器１００の外観斜視図である。
【図８】第４実施形態に係る容器１００の外観斜視図である。
【図９】第５実施形態に係る容器１００の外観斜視図である。
【発明を実施するための形態】
【００２１】
以下、本発明の容器の実施の形態を、図１ないし図９を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２２】
[第１実施形態]
図１は、第１実施形態に係る正立状態の容器１００の構成を示す、一部を断面した正面図である。容器１００は、容器本体１００Ａと、ノズルキャップ１０と、計量キャップ１０２とを備えている。図２は、計量キャップ１０２を外した状態の容器本体１００Ａ及びノズルキャップ１０の外観斜視図である。図３は、ノズルキャップ１０の構成を示す正面図である。
【００２３】
ノズルキャップ１０は、容器本体１００Ａの上端に上下方向に延びる軸線Ｃに沿って形成された口部１０１に装着された中栓である。ノズルキャップ１０の上側には、内容物を計量する計量キャップ１０２が装着される。
【００２４】
ノズルキャップ１０は、例えば、ポリプロピレン等のオレフィン系合成樹脂を用いた射出成形により形成されている。ノズルキャップ１０は、嵌合部１１、ノズル基部１２及びノズル部（注出ノズル）１３を主に有し、互いに軸線Ｃを中心として構成されている。
【００２５】
以下の説明では、軸線Ｃに沿った方向を軸線方向（軸直方向）、軸線Ｃに直交する方向を径方向、軸線Ｃを中心とする軸周り方向を周方向として適宜説明する。また、軸線方向における計量キャップ１０２側を上方（上側）、容器本体１００Ａ側を下方（下側）として適宜説明する。また、以下の説明では、内容物が液体であるものとして、内容液と称して記載する。
【００２６】
嵌合部１１は、ノズルキャップ１０の下端側にキャップ最大径となる環状凸部１４と、軸線Ｃに沿う環状凸部１４の上端に連続し環状凸部１４よりも径方向内側に位置する中間部１５と、軸線方向で中間部１５の環状凸部１４とは反対側の端部に連続するとともに中間部１５よりも径方向内側に位置する上部１６とを有している。上部１６には、計量キャップ１０２の雌ねじ部（図示せず）に螺合する雄ねじ部１７が周方向に形成されている。なお、図２においては、便宜上、雄ねじ部１７の図示を省略している。
【００２７】
中間部１５の内周面には、口部１０１の外周に周方向に形成された雄ねじ部と螺合する雌ねじ部（いずれも図示せず）が形成されている。なお、ノズルキャップ１０は、口部１０１と螺合するタイプではなく、例えば、圧入やアンダーカット部等の係合により、上方に抜けない構成であってもよい。
【００２８】
ノズル基部１２は、嵌合部１１の内側に同軸をなして設けられ、キャップ装着時に容器本体１００Ａの口部１０１内に挿入される。ノズル基部１２は、底面部２２を有する有底円筒状に形成されている。底面部２２には、注出用開口孔（図示せず）が形成されている。
【００２９】
ノズル部１３は、ノズル基部１２の底面部２２に立設され、軸線方向に沿って容器本体１００Ａとは反対側に向かって延出している。ノズル部１３は、注出用開口孔の周縁の一部を囲むように、軸線方向上方から見たときに、図２に示すように、軸線Ｃに向かって開口する断面Ｕ字形状の樋状に形成されている。
【００３０】
容器本体１００Ａは、軸線方向上方から見たときに、長方形となる直方体状に形成されている。容器本体１００Ａは、収容部３４と口部１０１とを備えている。収容部３４は、底面部３８と、底面部３８の周縁から上方に立設された胴部４０と、胴部４０の上端から上方に向けて漸次先細る肩部４２とを有している。肩部４２の上端に上記口部１０１が設けられている。
【００３１】
胴部４０の側面４０ａおよび肩部４２の側面４２ａには、底面部３８側の端部から口部１０１側の端部にわたって、直線状に上下方向に延び、収容部３４に収容された内容液の液面の位置（以下、液位と称する）を視認可能な窓部２１が設けられている。側面（外周面）４０ａ及び側面４２ａは、樋状のノズル部１３が軸線Ｃに向かって開口する側の面である。窓部２１が設けられていることにより、収容された内容液の液位を収容部３４の外側から把握することができる。
【００３２】
窓部２１は、側面４０ａおよび側面４２ａと面一に形成された面一部５１と、側面４０ａにおける面一部５１に対して段差をもって設けられた段差部５２とを有している。本実施形態における段差部５２は、側面４０ａ（面一部５１）から外方に突出して形成されている。
【００３３】
図４は、窓部２１側からの容器本体１００Ａの側面図である。
段差部５２は、胴部４０の周方向に間隔をあけて面一部５１から外方にそれぞれ突出し、上方に向かうに従って周方向の間隔が漸次広くなる一対の第１側面部５３と、第１側面部５３の先端（面一部５１とは交わらない方の端部）同士をつなぐ第２側面部５４とを有している。第２側面部５４は、上方に向かうに従って面一部５１からの突出量が漸次少なくなるように形成されている。すなわち、第２側面部５４は、軸線方向に延びる鉛直面に対して一定角度で傾斜して上方に臨む傾斜部である（以下、適宜、傾斜部５４と称する）。
【００３４】
胴部４０は、軸線方向に延びる筒状であるため、傾斜部５４は、軸線方向において、傾斜部５４が配置された範囲の収容部内部の収容空間１００ａを、軸線方向と直交する方向の断面積を上記一定角度に対応する一定の割合で変化させる。
傾斜部５４の下端には、面一部５１からの突出量が傾斜部５４の下端よりも大きい突出部５５が設けられている。
【００３５】
軸線方向における傾斜部５４の上端の位置及び突出部５５の位置は、収容部３４への内容液の注入に関する指標となる位置に設定されている。傾斜部５４の上端の位置は、例えば、収容部３４へ注入された内容液の最高液位として想定される位置である。突出部５５の位置は、例えば、収容部３４に内容液を補充する液位（その液位以下になった時には内容液を補充することが好ましいということを知らせる液位）として想定される位置である。
【００３６】
容器本体１００Ａの材質としては、公知の材質を使用でき、ポリエチレン樹脂、ポリプロピレン樹脂、ポリエステル樹脂等の合成樹脂材料が挙げられる。
窓部２１は、窓部２１を通じて内容液の液位を視認できるように、透明性を有する材料により形成される。窓部２１を形成する透明性を有する材料としては、例えば、ポリプロピレン、ポリエチレン、ポリエチレンテレフタレート（ＰＥＴ）等が挙げられる。容器本体１００Ａにおける窓部以外の部分は、通常、内容物の耐光性やデザイン性の点から着色され、収容された内容液を視認できないようにされる。
【００３７】
容器本体１００Ａは、例えば、上記の合成樹脂を用いたブロー成形により一体成形されている。容器本体１００Ａは、内容物として、例えば、液体洗剤、液体漂白剤、液体柔軟剤、溶剤等の液状物や、粒状洗剤、粒状漂白剤、粒状調味料等の粉粒物を収納するための収容空間１００ａを有している。
【００３８】
次に、上記容器１００の収容部３４へ詰め替え容器から内容液を補充する手順について、図５を参照して説明する。
図５に示すように、内容液を収容した詰め替え容器である包装袋Ｐを把持しながら、注出部ＳＰの先端を樋状のノズル部１３が軸線Ｃに向かって開口する側に位置するように傾ける。
【００３９】
この操作により、包装袋Ｐに収容された内容液は、注出部ＳＰから注出され、注出用開口孔を介して収容部３４の収容空間１００ａに注がれる。収容空間１００ａに注がれる量に応じて、内容液の液位は、例えば、図１及び図２に示されるように、液位Ｆ１、Ｆ２、Ｆ３と上昇する。
【００４０】
このとき、傾斜部５４は、上方に臨んで傾斜しているため、上方からの視線ＡＲであっても液位Ｆ１、Ｆ２、Ｆ３を視認することができる。また、収容空間１００ａは、軸線方向と直交する方向の断面積が、上方に向かうに従って傾斜部５４の傾斜角度に対応する一定の割合で減少するため、収容空間１００ａにその一定の割合に対応して内容液を注ぐことにより、内容液の液位は一定の速度で上昇することになる。なお、収容空間１００ａの断面積に対して傾斜部５４の傾斜に伴って変化する断面積の変化量は微小であるため、収容空間１００ａに内容液を一定の割合で注いだ場合でも、傾斜部５４の傾斜に起因して生じる内容液の液位の速度変化は微小であると考えられる。
従って、内容液の漏れを防ぐために注出部ＳＰの位置を確認しながらの作業で視線方向の変更が困難な状況でも、内容液の液位が急激に上昇するということがないので内容液の変位を容易に確認でき、内容液の補充停止が間に合わずに内容液が溢れてしまうということを防止することができる。
【００４１】
また、図４に示したように、第１側面部５３同士の周方向の間隔が上方に向かうに従って漸次広くなることから傾斜部５４の周方向の幅も上方に向かうに従って漸次広くなる。そのため、液位の上昇に伴って、傾斜部５４を介して視認できる内容液の液面の幅は漸次長くなる。従って、液位の上昇をより視認しやすくなる。
【００４２】
また、内容液の補充後に、内容液の消費で液位が収容部３４に内容液を補充する液位（その液位以下になった時には内容液を補充することが好ましいということを知らせる液位）として想定される液位にまで下がった場合には、内容液の液位は突出部５５を介して視認可能となる。この場合、突出部５５は、面一部５１からの突出量が傾斜部５４の下端よりも大きいため、内容液を補充するタイミングであることを容易に視認できる。
【００４３】
以上のように、本実施形態の容器１００においては、内容液の液位を視認可能な窓部２１に上方に臨んで傾斜する傾斜部５４が設けられているため、視線方向を変更することなく、内容液の液面の変位を上方から容易に確認することができる。また、本実施形態の容器１００においては、傾斜部５４が一定角度で傾斜しているため、特に軸線方向と直交する方向の断面積が上方に向かうに従って傾斜部５４の傾斜角度に対応する一定の割合で減少し、その一定の割合に対応して内容液を注いだ場合には内容液の液位は一定の速度で上昇することになる。また、収容空間１００ａの断面積に対して傾斜部５４の傾斜に伴って変化する断面積の変化量は微小であるため、収容空間１００ａに内容液を一定の割合で注いだ場合でも、内容液の液位は概ね一定の速度で上昇することになる。そのため、本実施形態の容器１００においては、内容液補充に伴い内容液の液位が予想外に急激に上昇してしまうということを防止でき、内容液が溢れることを抑制できる。
【００４４】
さらに、本実施形態の容器１００においては、傾斜部５４の周方向の幅が上方に向かうに従って漸次広くなっているため、液位の上昇に伴って、傾斜部５４を介して視認できる内容液の液面の幅が漸次長くなり、液位の上昇をより視認しやすくなる。
【００４５】
[第２実施形態]
図６は、第２実施形態に係る容器１００の外観斜視図である。
この図において、図１乃至図５に示す第１実施形態の構成要素と同一の要素については同一符号を付し、その説明を省略する。
第２の実施の形態と上記の第１の実施の形態とが異なる点は、段差部５２の構成である。
【００４６】
本実施形態の段差部５２は、胴部４０の周方向に間隔をあけて面一部５１から外方にそれぞれ突出し、上方に向かうに従って周方向の間隔が漸次狭くなる一対の第１側面部５３Ａと、第１側面部５３Ａの先端（面一部５１とは交わらない方の端部）同士をつなぐ第２側面部５４Ａとを有している。第２側面部５４Ａは、上方に向かうに従って面一部５１からの距離が漸次多くなるように形成されている。
【００４７】
第１側面部５３Ａは、上方に向かうに従って周方向の間隔が漸次狭くなるように、互いに接近する方向に傾斜している。すなわち、第１側面部５３Ａは、軸線方向に延びる鉛直面に対して一定角度で傾斜して上方に臨む傾斜部である（以下、適宜、傾斜部５３Ａと称する）。第２側面部５４Ａの面一部５１からの距離が上方に向かうに従って漸次多くなるように形成されているため、傾斜部５３Ａの幅（面一部５１からの突出量）は、上方に向かうに従って漸次広くなっている。
他の構成は、上記第１実施形態と同様である。
【００４８】
上記構成の容器１００の収容部３４へ内容液を補充した際には、傾斜部５３Ａが上方に臨んで傾斜しているため、視線方向を変更することなく、上方からの視線であっても液位Ｆ１、Ｆ２、Ｆ３を容易に視認することができる。また、傾斜部５３Ａの幅は、上方に向かうに従って漸次広くなっているため、液位の上昇に伴って傾斜部５３Ａを介して視認できる内容液の液面の幅が徐々に長くなり、液位の上昇をより視認しやすくなる。そのため、内容液補充に伴い内容液の液位が予想外に急激に上昇してしまうということを防止でき、内容液が溢れることを抑制できる。
【００４９】
[第３実施形態]
図７は、第３実施形態に係る容器１００の外観斜視図である。
この図において、図１乃至図５に示す第１実施形態の構成要素と同一の要素については同一符号を付し、その説明を省略する。
【００５０】
図７に示すように、本実施形態の容器１００は、面一部５１からの突出量が互いに異なる三つの段差部５２Ａ、５２Ｂ、５２Ｃを有している。段差部５２Ａ、５２Ｂ、５２Ｃは、互いに間隔をあけて上方に向けて順次局所的に配置されている。面一部５１からの突出量は、最も下側に配置された段差部５２Ａが最も大きく、最も上側に配置された段差部５２Ｃが最も小さい。
【００５１】
段差部５２Ａは、面一部５１と略平行な側面５６Ａと、側面５６Ａの上端と面一部５１とを繋ぐ傾斜部５７Ａとを有している。段差部５２Ｂは、面一部５１と略平行な側面５６Ｂと、側面５６Ｂの上端と面一部５１とを繋ぐ傾斜部５７Ｂとを有している。段差部５２Ｃは、面一部５１と略平行な側面５６Ｃと、側面５６Ｃの上端と面一部５１とを繋ぐ傾斜部５７Ｃとを有している。側面５６Ａは、面一部５１からの距離が、側面５６Ｂおよび側面５６Ｃよりも大きい。また、側面５６Ｂは、面一部５１からの距離が、側面５６Ｃよりも大きい。
【００５２】
傾斜部５７Ａ、５７Ｂ、５７Ｃは、軸線方向に延びる鉛直面に対して同一の一定角度で傾斜して上方に臨んで形成されている。傾斜部５７Ｃの位置は、例えば、収容部３４へ注入された内容液の最高液位として想定される位置である。傾斜部５７Ａの位置は、例えば、収容部３４に内容液を補充する液位（その液位以下になった時には内容液を補充することが好ましいということを知らせる液位）として想定される位置である。
【００５３】
上記構成の容器１００の収容部３４へ内容液を補充した際には、傾斜部５７Ａ、５７Ｂ、５７Ｃが傾斜して上方に臨んでおり、また、傾斜部５７Ｂの一部は、傾斜部５７Ｃよりも外側に位置し、傾斜部５７Ａの一部は、傾斜部５７Ｂよりも外側に位置しているため、上方からの視線であっても補充が進むのに従って、傾斜部５７Ａにおいて液位Ｆ１、傾斜部５７Ｂにおいて液位Ｆ２、傾斜部５７Ｃにおいて液位Ｆ３を断続的に視認することができる。
【００５４】
特に、本実施形態では、段差部５２Ａ、５２Ｂ、５２Ｃ（傾斜部５７Ａ、５７Ｂ、５７Ｃ）が軸線方向に間隔をあけて配置されているため、段差部が連続的に配置されている場合と比較して、上方からの視線で内容液の液面が視認できないときと、視認できるときとの視界の変化が大きくなる。そのため、内容液の液位が傾斜部５７Ａ、５７Ｂ、５７Ｃに達して視認可能となったときの視覚に与えるインパクトが大きくなることで、内容液の補充をより慎重に行うことが可能になる。そのため、内容液補充に伴い内容液の液位が予想外に急激に上昇してしまうということを防止でき、内容液が溢れることを一層抑制することができる。
【００５５】
なお、例えば、段差部５２Ａと段差部５２Ｂとの間、あるいは段差部５２Ｂと段差部５２Ｃとの間の面一部５１においても、操作者の目の位置によっては内容液の液位を視認可能であるが、上述したように、内容液の漏れを防ぐために視線方向の変更が困難な状況では、上方に臨んでいない面一部５１において液位を視認することは困難である。そのため、内容液の補充作業中においては、傾斜部５７Ａ、５７Ｂ、５７Ｃで液位が視認可能となることが重要となる。
【００５６】
[第４実施形態]
図８は、第４実施形態に係る容器１００の外観斜視図である。
この図において、図１乃至図５に示す第１実施形態の構成要素と同一の要素については同一符号を付し、その説明を省略する。
上記第１〜第３実施形態では、段差部が側面４０ａに対して外方に突出して形成されている構成を例示したが、本実施形態では側面４０ａ、４２ａから内方に窪んで形成されている構成について説明する。
【００５７】
図８に示すように、本実施形態の容器１００は、側面４０ａ、４２ａから内方に窪んで形成された段差部６２と、段差部６２よりも下方に配置され側面４０ａから内方に窪んで形成された段差部６３とを有している。
【００５８】
段差部６２は、胴部４０および肩部４２に跨って形成されている。段差部６２は、胴部４０の外周面４０ａおよび肩部４２の外周面４２ａから内方に突出する一対の第３側面部６４と、第３側面部６４の先端（外周面４０ａおよび外周面４２ａとは交わらない方の端部）同士をつなぐ第４側面部６５、６６とを有している。第３側面部６４は、外周面４０ａおよび外周面４２ａの周方向に間隔をあけて対向配置されている。
【００５９】
第４側面部６５は、胴部４０および肩部４２が交差する稜線よりも下方の位置を下端とし、当該下端が面一部５１と交差している。第４側面部６５は、軸線方向に延びる鉛直面に対して一定角度で傾斜して上方に臨む傾斜部である（以下、適宜、傾斜部６５と称する）。傾斜部６５は、鉛直面に対して傾斜する角度が、面一部５１（側面４０ａ）及び側面４２ａよりも大きい。第４側面部６５の上端の位置は、胴部４０および肩部４２が交差する稜線よりも下方の位置である。
【００６０】
第４側面部６６は、下端において第４側面部６５の上端と交差している。第４側面部６６は上端において口部１０１の下端と交差している。第４側面部６６は、軸線方向に延びる鉛直面に対して一定角度で傾斜して上方に臨む傾斜部である（以下、適宜、傾斜部６６と称する）。傾斜部６６は、鉛直面に対して傾斜する角度が、側面４２ａ及び第４側面部６５よりも小さい。
【００６１】
段差部６３は、外周面４０ａ（面一部５１）から内方に突出する一対の第３側面部６７と、第３側面部６７の先端（外周面４０ａとは交わらない方の端部）同士をつなぐ第４側面部６８、６９とを有している。第３側面部６７は、外周面４０ａの周方向に間隔をあけて対向配置されている。
【００６２】
第４側面部６８は、下端が面一部５１と交差している。第４側面部６８は、軸線方向に延びる鉛直面に対して一定角度で傾斜して上方に臨む傾斜部である（以下、適宜、傾斜部６８と称する）。第４側面部６９は、下端において第４側面部６８の上端と交差している。第４側面部６９は、上端において面一部５１と交差している。
【００６３】
傾斜部６５の位置は、例えば、収容部３４へ注入された内容液の最高液位として想定される位置である。傾斜部６８の位置は、例えば、収容部３４に内容液を補充する液位（その液位以下になった時には内容液を補充することが好ましいということを知らせる液位）として想定される位置である。
【００６４】
上記構成の容器１００においては、内容液の消費で液位が収容部３４に内容液を補充する液位（その液位以下になった時には内容液を補充することが好ましいということを知らせる液位）として想定される液位にまで下がった場合には、内容液の液位は傾斜部６８を含む段差部６３を介して視認可能となる。傾斜部６８が軸線方向に延びる鉛直面に対して一定角度で傾斜して上方に臨む傾斜部として設けられているため、視線方向を変更することなく、上方からの視線であっても液位を容易に視認することができる。
【００６５】
また、上記構成の容器１００において収容部３４へ内容液を補充する際には、傾斜部６５および傾斜部６６が上方に臨んで傾斜しているため、視線方向を変更することなく、上方からの視線であっても内容液の液位を視認することができる。
【００６６】
また、容器１００においては、肩部４２の内部空間は胴部４０の内部空間と比較して、上方に向かうのに従って軸線方向と直交する方向の断面積の変化が大幅に大きい。すなわち、肩部４２の内部空間は、胴部４０の上端における内部空間の断面積から、口部１０１の下端における内部空間の断面積に軸線方向の短い距離で減少する。そのため、胴部４０の内部空間に内容液を補充していた速度を肩部４２の内部空間についても継続すると、内容液の液位が急激に上昇して内容液が溢れる可能性がある。
【００６７】
これに対して、本実施形態の容器１００においては、傾斜部６５の下端が胴部４０および肩部４２が交差する稜線よりも下方の位置であるため、断面積の変化が上記稜線位置よりも低い位置で生じる。そのため、収容部３４へ内容液を補充した際に、段差部６２が設けられていない場合と比較して、液位の上昇速度の変化が早いタイミングで生じる。そのため、液位の上昇速度の変化を早いタイミングで視認することが可能になり、内容液の補充速度を落とす等、補充作業をより慎重に行うことが可能になり、内容液の溢れを抑制することができる。
【００６８】
[第５実施形態]
図９は、第５実施形態に係る容器１００の外観斜視図である。
この図において、図８に示す第４実施形態の構成要素と同一の要素については同一符号を付し、その説明を省略する。第５実施形態では、第４実施形態で説明した段差部６２、６３のうち、段差部６２のみが設けられている場合について説明する。
【００６９】
図９に示すように、段差部６２は、一対の第３側面部６４と、第３側面部６４の先端（外周面４０ａおよび外周面４２ａとは交わらない方の端部）同士をつなぐ第４側面部７０とを有している。第４側面部７０は、胴部４０および肩部４２が交差する稜線よりも下方の位置を下端とし、当該下端が面一部５１と交差している。第４側面部７０は、軸線方向に延びる鉛直面に対して一定角度で傾斜して上方に臨む傾斜部である（以下、適宜、傾斜部７０と称する）。第４側面部７０は、上端において口部１０１の下端と交差している。第３側面部６４は、第４側面部７０の側縁から外周面側に向けて周方向の開口幅が広がるように傾斜して形成されている。
他の構成は、上記第４実施形態と同様である。
【００７０】
上記構成の容器１００においては、上記第４実施形態の容器１００と同様の作用・効果が得られることに加えて、第３側面部６４が上方に臨んで傾斜しているため、第３側面部６４を介して内容液の変位を上方からより容易に視認でき内容液の溢れを抑制することができる。
【００７１】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００７２】
例えば、上記第１実施形態では、面一部５１からの突出量が傾斜部５４の下端よりも大きい突出部５５を傾斜部５４の下端に配置する構成を例示したが、この構成に限定されない。例えば、第２実施形態で説明した図６に示す傾斜部５４の上端に、面一部５１からの突出量が傾斜部５４よりも大きい突出部を設ける構成としてもよい。この構成を採ることにより、収容部３４へ注入された内容液の最高液位を容易に視認することが可能となる。
【００７３】
また、上記第３実施形態では、三つの段差部５２Ａ、５２Ｂ、５２Ｃが局所的に設けられる構成について説明したが、段差部の数は一つ以上であれば特に限定されない。内容液を補充する液位（その液位以下になった時には内容液を補充することが好ましいということを知らせる液位）を視認する場合には、包装袋Ｐの注出部ＳＰの先端位置を確認する必要がないため、内容液を補充する液位よりも最高液位の上方からの視認性の方が重要となるため、段差部を局所的に一つのみ設ける場合には、収容部３４へ注入された内容液の最高液位として想定される位置に配置することが好ましい。
【符号の説明】
【００７４】
１０…ノズルキャップ（中栓）、  １３…ノズル部（注出ノズル）、  ２１…窓部、  ３４…収容部、  ３８…底面部、  ４０…胴部、  ４０ａ…側面（外周面）、  ４２…肩部、  ５２、５２Ａ、５２Ｂ、５２Ｃ、６２、６３…段差部、  ５３…第１側面部、  ５３Ａ…第１側面部（傾斜部）、  ５４…第２側面部（傾斜部）、  ６４…第３側面部、  ６５、６６、７０…第４側面部（傾斜部）、  １００…容器、  １０１…口部
【図１】
2018188171.tif 000003
【図２】
2018188171.tif 000004
【図３】
2018188171.tif 000005
【図４】
2018188171.tif 000006
【図５】
2018188171.tif 000007
【図６】
2018188171.tif 000008
【図７】
2018188171.tif 000009
【図８】
2018188171.tif 000010
【図９】
2018188171.tif 000011